(57)【要約】【課題】パネルへの取り付けが容易なうえ光ファイバの取り回しが容易な光ファイバコードリール台のガイド部材を提供する。【解決手段】扇形の底板１１に中心側に内壁部１２を立設するとともに円弧側に外壁部１３を立設してガイド本体１を形成したうえ、底板１１の裏面に形成した凹段部３にパネル４に形成したエンボス４１の中央に設けた丸孔部４２に嵌合する突起３１と該エンボス４１の周縁傾斜面４１ａに設けた丸孔部４３に嵌合する横向突起３２を設ける。【選択図】    図１
2004163804.tif 000002
【特許請求の範囲】
【請求項１】
扇形の底板に中心側に内壁部を立設するとともに円弧側に外壁部を立設してガイド本体を形成したうえ、底板の裏面に形成した凹段部にパネルに形成したエンボスの中央に設けた丸孔部に嵌合する突起と該エンボスの周縁傾斜面に設けた丸孔部に嵌合する横向突起を設けたことを特徴とする光ファイバコードリール台のガイド部材。
【請求項２】
ガイド本体の上下面に設けた連結手段により段積み可能したことを特徴とする請求項１に記載の光ファイバコードリール台のガイド部材。
【請求項３】
ガイド本体の両側面に設けた連結手段により水平連結可能としたことを特徴とする請求項１又は２に記載の光ファイバコードリール台のガイド部材。
【発明の詳細な説明】
【０００１】
【発明の属する技術分野】
本発明は、光ファイバの余長を処理するための光ファイバコードリール台のガイド部材に関するものである。
【０００２】
【従来の技術】
従来、光ファイバの余長の処理は、図１０、図１１に示すように光接続箱のパネル１００に３個のワイヤサドル１０１をリール状に配置して光ファイバコードを巻回させるものであった。この場合に、各ワイヤサドル１０１は回転して光ファイバを傷つけることが無いように下端に張設したスナップ部１０１ａを断面を角状に形成して該スナップ１０１ａを嵌合するパネル１００に透設した取付孔１００ａも角状として回転を防止する構造としたものであった。（例えば、特許文献１参照）
【０００３】
【特許文献１】特開平２００２−２１８３１号公報（図１）
【０００４】
【発明が解決しようとする課題】
ところが、前記した従来のものは、パネル１００に透設した取付孔１００ａを角状としたものであるから、各ワイヤサドル１０１の向きに応じるように各取付孔１００ａの切り抜き方向を変える必要があり、プレスの抜き角度別に金型が必要となるものであった。また、ワイヤサドル１０１をリール状に配置したものは配線が多数の場合には取り回しや光ファイバコードの識別が困難なものでもあった。
【０００５】
【課題を解決するための手段】
前記の課題を解決するためになされた光ファイバコードリール台のガイド部材は、扇形の底板に中心側に内壁部を立設するとともに円弧側に外壁部を立設してガイド本体を形成したうえ、底板の裏面に形成した凹段部にパネルに形成したエンボスの中央に設けた丸孔部に嵌合する突起と該エンボスの周縁傾斜面に設けた丸孔部に嵌合する横向突起を設けたことを特徴とするものを請求項１に記載の発明とし、この発明において、ガイド本体の上下面に設けた連結手段により段積み可能したことを特徴とするものを請求項２に記載の発明とする。そして、これらの発明において、ガイド本体の両側面に設けた連結手段により水平連結可能としたことを特徴とするものを請求項３に記載の発明とする。
【０００６】
前記した請求項１に記載の発明によれば、底板の裏面に形成した凹段部にパネルに形成したエンボスの中央に設けた丸孔部に嵌合する突起と該エンボスの周縁傾斜面に設けた丸孔部に嵌合する横向突起を設けているので、突起がパネルのエンボスの中央の丸孔部に横向突起がエンボスの周縁傾斜面の丸孔部に横方向から嵌合するものであるから、ガイド部材は前後左右、上下方向の移動と回転を規制されてパネルに取り付けられものである。そして、複数個のガイド部材がリールを構成するようにパネルに配置して取り付け光ファイバコードリール台とするものである。
【０００７】
また、請求項２に記載の発明によれば、ガイド本体の上下面に設けた連結手段により段積み可能したことにより、光ファイバコードが多数の場合に上下に分離して配線できるので取り回しや光ファイバコードの識別が容易なものとなる。また、請求項３に記載の発明によれば、ガイド本体の両側面に設けた連結手段により水平連結可能としたことにより、円形のコードリールを容易に得ることができる外に、該連結手段により縦パネルへ直接取り付けることが可能なものである。
【０００８】
【発明の実施の形態】
次に、本発明の実施の形態を図により説明する。
１は扇形の底板１１に中心側に内壁部１２を立設するとともに円弧側に外壁部１３を立設して内壁部１２と外壁部１３との間に主ガイド部２を形成したガイド本体である。このガイド本体１の底板１１の裏面には円弧側を開口させたＵ字状の凹段部３を形成して、該凹段部３の天井面３ａに半球状の突起３１を設けるとともに該凹段部３の円弧側に対向した壁面３ｂに横向突起３２を設け、パネル４に形成したエンボス４１の中央に設けた丸孔部４２に突起３１を嵌合させるとともに該エンボス４１の周縁傾斜面４１ａに設けた丸孔部４３に横向突起３２を嵌合させてガイド本体１をパネル４に取り付けるものである。なお、外壁部１３の外側両側に断面Ｌ字状の副ガイド部２ａが設けられている。
【０００９】
また、前記したガイド本体１の上下面には複数のガイド本体１を段済み可能とする連結手段が設けられている。この連結手段は的確に段済み可能に連結できるものであればよく、特に限定されないものであるが、図示のものは内壁部１２の下端面に凹部１２ａを設けこれに嵌合する突部１２ｂを上端面に設け連結可能とするとともに、内壁部１２の外側中央上部に内向き爪部１２ｃを張設して該爪部１２ｃが対応する内壁部１２の外側中央下方に係止凹部１２ｄを設けて上下への抜け防止の手段を設けたものである。なお、このように内壁部１２側に連結手段を設けた場合には図示のように外壁部１３の高さを内壁部１２の高さより低くして下段に位置する外壁部１３の上端と上段に位置する底板１１との間に配線用開口を形成することは勿論である。
【００１０】
さらに、ガイド本体１の両側面にはガイド本体１同士を水平連結可能とする連結手段が設けられている。この連結手段は的確に水平連結できるものであればよく、特に限定されないものであるが、図示のものは、内壁部１２の一方の側面に上下方向に一連に一対の係止部１２ｅを張設し、これが嵌合する係止溝部１２ｆを他方の側面に上下方向に一連に設けたものである。なお、ガイド本体１の両側面の角度を６０度とすることにより６個を連結することによりサークル状のコードリール台を形成すことができる。
【００１１】
このように構成されたものは、パネル４のエンボス４１に底板１１の裏面に形成した凹段部３を該凹段部３の開口側から嵌合して凹段部３の天井面３ａに設けた突起３１がエンボス４１の中央に設けた丸孔部４２に嵌合するとともに凹段部３の壁面３ｂに設けた横向突起３２が該エンボス４１の周縁傾斜面４１ａに設けた丸孔部４３に横方向から嵌合するので、ガイド部材は前後左右、上下方向の移動と回転を規制されてパネルに取り付けられものである。従って、パネル４のエンボス４１にはドリルにより簡単に穿つことができる丸孔部４２，４３を設ければよいのでパネル４の製作は容易なものである。また、図１に示すようにエンボス４１の周縁傾斜面４１ａに丸孔部４３を予め複数設けておけば、そのうち任意の丸孔部４３を選択することによりガイド部材の取付方向が選択できるものである。
【００１２】
そして、図５に示すようにパネル４に３個のガイド部材をリール状に配置して前記した方法で取り付けすれば、光ファイバコードリール台を形成されるので、内壁部１２と外壁部１３との間に形成した主ガイド部２に光ファイバコードをガイドさせて取り回して光ファイバコードの余長が処理されるものである。また、外壁部１３の外側両側に断面Ｌ字状の副ガイド部２ａが設けられていれば、該副ガイド部２ａにも光ファイバコードを取り回して余長の処理ができるので配線の多い場合にも対応できるものである。
【００１３】
また、ガイド本体１の上下面に複数のガイド本体１を段済み可能とする連結手段が設けたものであれば、図６に示すように段済みすれば、光ファイバコードの配線数が多いため例えば融着トレイを段済みして設置してある場合に対応できるうえ、上下それぞれに対応させて配線することにより光ファイバコードの識別が容易なものとなる。
【００１４】
さらに、ガイド本体１の両側面にはガイド本体１同士を水平連結可能とする連結手段が設けたものであれば、ガイド本体１の両側面の角度を６０度とすることにより６個を連結することにより図７，８に示すようなサークル状のコードリール台を形成したり、３個を半円状に連結したものを２組間隔をおいて配置して楕円状のコードリール台を形成することができるものである。また、ガイド本体１に設けた連結手段の一方である内壁部１２の一方の側面に上下方向に一連に張設した一対の係止部１２ｅは図９に示すように縦パネル５に設けた縦切込み５ａに係合できるものであるから縦パネル５にも取り付けでき配線ガイドとして使用できるものである。
【００１５】
【発明の効果】
以上に説明したように、請求項１に記載発明の光ファイバコードリール台のガイド部材は、底板の凹段部に設けた突起と横向突起をパネルに形成したエンボスの中央と周縁傾斜面に設けた丸孔部に嵌合させて取り付けるものであるから、パネルのエンボスにはドリルにより簡単に穿つことができる丸孔部を設ければよいのでパネルの製作は容易なものとなる。
【００１６】
また、請求項２に記載の発明によれば、ガイド本体の上下面に設けた連結手段により段積み可能したことにより、光ファイバコードが多数の場合に上下に分離して配線できるので取り回しや光ファイバコードの識別が容易なものとなる。また、請求項３に記載の発明によれば、ガイド本体の両側面に設けた連結手段により水平連結可能としたことにより、円形のコードリールを容易に得ることができる外に、該連結手段により縦パネルへ直接取り付けることが可能なものである。
【図面の簡単な説明】
【図１】本発明の実施形態を示す平面図である。
【図２】本発明の実施形態を示す平面側からの斜視図である。
【図３】本発明の実施形態を示す底面側からの斜視図である。
【図４】本発明の実施形態を示す断面図である。
【図５】本発明の実施形態を示す平面図である。
【図６】本発明のガイド部材を段済みして示す斜視図である。
【図７】本発明のガイド部材をサークル状に水平連結して示す平面側からの斜視図である。
【図８】本発明のガイド部材をサークル状に水平連結して示す底面側からの斜視図である。
【図９】本発明のガイド部材を縦パネルに取り付けた状態を示す平面図である。
【図１０】従来例を示す平面図である。
【図１１】従来例の要部を示す斜視図である。
【符号の説明】
１  ガイド本体
１１  底板
１２  内壁部
１３  外壁部
２  主ガイド部
３  凹段部
３１  突起
３２  横突起
４  パネル
４１  エンボス
４１ａ    エンボスの周縁傾斜面
４２  丸孔部
４３  丸孔部
【図１】
2004163804.tif 000003
【図２】
2004163804.tif 000004
【図３】
2004163804.tif 000005
【図４】
2004163804.tif 000006
【図５】
2004163804.tif 000007
【図６】
2004163804.tif 000008
【図７】
2004163804.tif 000009
【図８】
2004163804.tif 000010
【図９】
2004163804.tif 000011
【図１０】
2004163804.tif 000012
【図１１】
2004163804.tif 000013